(57)【要約】      （修正有）【課題】  自動取引装置において、偽金が検出された際の処理を、自動取引装置毎に個別に設定することを可能とする技術を提供する。【解決手段】  ＡＴＭは、処理指示取得画面を表示する。ＡＴＭを管理する金融機関の係員は、処理指示取得画面において、ＡＴＭ毎に個別に偽金検出時の処理を指定する。ＡＴＭは、偽金検出時は、個別に指定された処理を実行する。【選択図】        図５
2006343914.tif 000002
【特許請求の範囲】
【請求項１】
金銭に関する取引を実行する自動取引装置であって、
入金された金銭の真偽判別を行ない、偽物の金銭である偽金を検出する検出部と、
前記検出部で偽金が検出された場合の処理指示として、個々の自動取引装置毎に予め設定された処理指示を取得する処理指示取得部と、
前記検出部で偽金が検出された場合、前記処理指示に基づいた偽金対策処理を実行する偽金対策処理実行部と、
を備える自動取引装置。
【請求項２】
請求項１記載の自動取引装置であって、
前記偽金対策処理は、
アラームを鳴動する処理と、
前記自動取引装置の動作を監視する監視装置へ通報する処理と、
偽金を利用者へ返却する処理と、
偽金を所定の格納庫へ回収する処理と、
金銭を搬送する搬送装置内に偽金を保留にし、前記自動取引装置の取引機能を停止させる処理と、
偽金が入金される際に利用者から取得したカードを、所定のカード格納庫へ回収する処理と、
偽金が入金される際に利用者から取得したカードを、カードを取り扱うカード取扱装置内に保留とし、前記自動取引装置の取引機能を停止させる処理と、
所定期間中に実行された取引の履歴を印字する処理と、
のうち少なくとも1以上である自動取引装置。
【請求項３】
請求項１記載の自動取引装置であって、
前記処理指示取得部は、
前記処理指示を取得するための処理指示取得画面を表示することと、
前記処理指示を含む処理指示設定ファイルを読み込むことと、
前記自動取引装置と通信可能なコンピュータから送信される前記処理指示を受信することと、
のうち少なくともいずれか１つにより前記処理指示を取得する、
自動取引装置。
【請求項４】
請求項１記載の自動取引装置であって、更に、
前記自動取引装置の設置場所に関する情報または時刻に関する情報のうちの少なくとも１つを含む運転状況情報に関連付けて、前記処理指示を予め記憶する処理指示記憶部と、
偽金が入金された際の前記運転状況情報を取得する運転状況取得部と、
を備え、
前記処理指示取得部は、前記運転状況取得部が取得した運転状況情報に関連している処理指示を前記処理指示記憶部から取得する、
自動取引装置。
【請求項５】
金銭に関する取引を実行する自動取引装置と通信可能なホストコンピュータであって、
自動取引装置に偽物の金銭である偽金が入金された際の処理指示を、自動取引装置の設置場所に関する情報または時刻に関する情報のうちの少なくとも１つを含む運転状況情報に関連付けて予め記憶する処理指示記憶部と、
自動取引装置に偽金が入金された際の前記運転状況情報を取得する運転状況取得部と、
前記運転状況取得部が取得した運転状況情報に関連している処理指示を前記処理指示記憶部から取得し、前記自動取引装置に送信する処理指示送信部と、
を備えたホストコンピュータ。
【請求項６】
金銭を入金し、取引を実行する自動取引方法であって、
入金された金銭の真偽判別を行ない、偽物の金銭である偽金を検出する工程と、
前記偽金を検出する工程で偽金が検出された場合の処理指示として、取引を実行する個々の自動取引装置毎に予め設定された処理指示を取得する工程と、
前記偽金を検出する工程で偽金が検出された場合、前記処理指示に基づいた偽金対策処理を実行する工程と、
を備える自動取引方法。
【発明の詳細な説明】
【技術分野】
【０００１】
本発明は、金銭に関する取引を実行する自動取引装置に関する。
【背景技術】
【０００２】
自動取引装置の１種であるＡＴＭ（Ａｕｔｏｍａｔｅｄ  Ｔｅｌｌｅｒ  Ｍａｃｈｉｎｅｓ）には、一般に、入金された金銭の真偽を判別する真偽判別装置が備えられている。真偽判別装置は、本物の金銭を偽物の金銭（以下、偽金と呼ぶ）と判別することもあり、偽金検出時にはＡＴＭを管理する金融機関の係員などが金銭の真偽を判別することを必要とする場合もある。ところで、従来は、真偽判別装置により偽金が検出された際の偽金対策処理は、全てのＡＴＭで一律に設定されている。
【０００３】
【特許文献１】特開２００５−４４８６号公報
【発明の開示】
【発明が解決しようとする課題】
【０００４】
しかしながら、ＡＴＭは全て一律の条件で運転されているわけではない。例えば、金融機関の営業店内に設置され、偽金判別のために偽金検出時にアラームを鳴動して係員を直行させることが可能なＡＴＭもあれば、営業店外に設置され、偽金検出時にアラームを鳴動しても係員を直行させることが不可能なＡＴＭも存在する。よって、全てのＡＴＭで偽金検出時にはアラームを鳴動して係員を呼び出す、という偽金対策処理を行なうことは難しかった。つまり、全てのＡＴＭで偽金対策処理を一律に設定することにより、設定可能な偽金対策処理が限定されていた。このような問題は、ＡＴＭに限らず、自動券売機や両替機など全ての自動取引装置に共通する問題であった。
【０００５】
本発明は、上記した問題点を解決するためになされたものであり、自動取引装置において、偽金が検出された際の処理を、自動取引装置毎に個別に設定することを可能とする技術を提供することを目的とする。
【課題を解決するための手段】
【０００６】
上記課題の少なくとも一部を解決するため、本発明による自動取引装置は、金銭に関する取引を実行する自動取引装置であって、入金された金銭の真偽判別を行ない、偽物の金銭である偽金を検出する検出部と、前記検出部で偽金が検出された場合の処理指示として、個々の自動取引装置毎に予め設定された処理指示を取得する処理指示取得部と、前記検出部で偽金が検出された場合、前記処理指示に基づいた偽金対策処理を実行する偽金対策処理実行部とを備えることを特徴とする。
【０００７】
本発明によれば、自動取引装置毎に、偽金が検出された場合の処理指示を取得し、処理指示に基づいた偽金対策処理を実行するので、自動取引装置において、偽金が検出された際の処理を個別に設定可能である。
【０００８】
前記偽金対策処理は、アラームを鳴動する処理と、前記自動取引装置の動作を監視する監視装置へ通報する処理と、偽金を利用者へ返却する処理と、偽金を所定の格納庫へ回収する処理と、金銭を搬送する搬送装置内に偽金を保留にし、前記自動取引装置の取引機能を停止させる処理と、偽金が入金される際に利用者から取得したカードを、所定のカード格納庫へ回収する処理と、偽金が入金される際に利用者から取得したカードを、カードを取り扱うカード取扱装置内に保留とし、前記自動取引装置の取引機能を停止させる処理と、所定期間中に実行された取引の履歴を印字する処理とのうち少なくとも1以上であるものとしても良い。
【０００９】
前記処理指示取得部は、前記処理指示を取得するための処理指示取得画面を表示することと、前記処理指示を含む処理指示設定ファイルを読み込むことと、前記自動取引装置と通信可能なコンピュータから送信される前記処理指示を受信することとのうち少なくともいずれか１つにより前記処理指示を取得するものとしても良い。
【００１０】
更に、前記自動取引装置の設置場所に関する情報または時刻に関する情報のうちの少なくとも１つを含む運転状況情報に関連付けて、前記処理指示を予め記憶する処理指示記憶部と、偽金が入金された際の前記運転状況情報を取得する運転状況取得部とを備え、前記処理指示取得部は、前記運転状況取得部が取得した運転状況情報に関連している処理指示を前記処理指示記憶部から取得するものとしても良い。
【００１１】
これによれば、運転状況に応じた処理指示を取得することが可能である。
【００１２】
なお本発明は種々の形態で実現可能であり、例えば、自動取引方法または装置の機能を実現するためのコンピュータプログラム、そのプログラムを記録した記録媒体、自動取引装置と通信可能なホストコンピュータ等の形態で実現可能である。
【発明を実施するための最良の形態】
【００１３】
Ａ．第１実施例：
図１は、自動取引装置の実施例であるＡＴＭ（Ａｕｔｏｍａｔｅｄ  Ｔｅｌｌｅｒ  Ｍａｃｈｉｎｅｓ）１０００を含む偽金監視システム１００００を示す説明図である。偽金監視システム１００００は、ＡＴＭ１０００で偽物の金銭（以下、偽金と呼ぶ）を検出した際にＡＴＭ１０００が実行する偽金対策処理をＡＴＭ１０００毎に個別に設定可能なシステムである。偽金には、本物の紙幣同士を張り合わせた変造券も含む。
【００１４】
偽金監視システム１００００は、ホストコンピュータ２０００と、監視装置３０００と、ＡＴＭ１０００を備える。金融機関のホストコンピュータ２０００は、金融機関の複数のＡＴＭ１０００を管理する。監視装置３０００は、ＡＴＭ１０００から偽金検出時に通報を受け、ランプを点灯させる。これにより、金融機関の係員は偽金検出を察知する。
【００１５】
ＡＴＭ１０００は、ＣＰＵ１００と、通信装置１１０と、主記憶装置１２０と、外部記憶装置１３０と、カード取扱装置１４０と、明細書印字装置１５０と、金銭取扱装置１６０と、表示装置１７０と、金銭真偽判別装置１８０と、ＪＮＬ印字装置１９０と、アラーム装置２００と、処理指示取得部２１０とを備える。
【００１６】
通信装置１１０は、ホストコンピュータ２０００や監視装置３０００との通信を制御する。主記憶装置１２０と外部記憶装置１３０は、各種ファイルやプログラムを記憶する。カード取扱装置１４０は、キャッシュカードの情報を読み取る。明細票印字装置１５０は、取引の明細票を印字する。金銭取扱装置１６０は、ＡＴＭ１０００内での金銭の搬送および金銭の入出金を実行する。金銭取扱装置１６０は、本発明の搬送装置に相当する。表示装置１７０は、取引の案内を表示し、利用者から取引内容の入力を受け付けるタッチパネルである。金銭真偽判別装置１８０は、入金された金銭の真偽を判別し、偽金を検出する。金銭真偽判別装置１８０は、本発明の検出部に相当する。ジャーナル（ｊｏｕｒｎａｌ（以下、ＪＮＬと呼ぶ））印字装置１９０は、ＪＮＬとして、所定期間中にＡＴＭ１０００で実行された取引の履歴を印字する。アラーム装置２００は、アラームを鳴動する。処理指示取得部２１０は、偽金が検出された際実行する偽金対策処理の処理指示を予め取得する。ＣＰＵ１００は、以上の各装置及び処理指示取得部２１０を統括制御する。
【００１７】
図２は、処理指示取得部２１０が処理指示を取得するための処理指示取得画面２１１を示す説明図である。処理指示取得部２１０は、金融機関の係員がＡＴＭ１０００を設置し、ＡＴＭ１０００の電源を入れた後、あるいは、係員が所定の鍵穴に鍵を挿入すると、処理指示取得画面２１１を表示装置１７０に表示させる。係員は、処理指示取得画面２１１の選択ボタン２１２で、偽金が検出された際の処理を指定する。具体的には、アラームを鳴動するか否かと、監視装置に通報するか否かと、偽金を返却するか回収するか保留するかと、キャッシュカードを返却するか回収するか保留するかと、ＪＮＬを印字するか否かをそれぞれ選択ボタン２１２で選択する。なお、偽金やカードの回収を行なう場合は、ＡＴＭ１０００は、偽金検出後も通常通り作動し、ＡＴＭ１０００も継続して使用可能である。一方、偽金やカードを保留する場合は、ＡＴＭ１０００は通常の取引機能を停止し、ＡＴＭ１０００を使用不可能となる。
【００１８】
係員は、例えば、金融機関の営業店内に設置されたＡＴＭ１０００では、係員がその場で対応できることが多いため、偽金検出時はアラームを鳴動する、と設定するものとしても良い。一方、金融機関の営業店外に設置されたＡＴＭ１０００では、係員が待機しておらず、その場で対応できないため、アラームは鳴動しないで監視装置に通報する設定とするものとしても良い。処理指示取得部２１０は、ＯＫボタン２１３が押下されると、選択された処理指示を主記憶装置１２０に記憶させる。外部記憶装置１３０に記憶させるものとしても良い。
【００１９】
処理指示取得部２１０は、処理指示取得画面２１１からではなく、他の方法で処理指示を取得するものとしても良い。例えば、処理指示取得部２１０は、ホストコンピュータ２０００または監視装置３０００から処理指示を取得するものとしても良い。ホストコンピュータ２０００から処理指示を取得する場合は、例えば、係員は図３の処理指示設定ファイルｐｓｆを作成し、ホストコンピュータ２０００に記憶させる。ホストコンピュータ２０００は、記憶している処理指示設定ファイルｐｓｆを、係員が指定したタイミングでＡＴＭ１０００に送信する。処理指示取得部２１０は、受信した処理指示設定ファイルｐｓｆを、主記憶装置１２０に記憶させる。処理指示取得部２１０は、処理指示設定ファイルｐｓｆを主記憶装置１２０に記憶させる際、データ形式は変換するものとしても良い。あるいは、ＡＴＭ１０００は記憶媒体の挿入口を備え、処理指示取得部２１０は、該挿入口から挿入された記憶媒体に保存された処理指示設定ファイルｐｓｆを読み込むものとしても良い。
【００２０】
図４は、処理指示取得後のＡＴＭ１０００における取引処理を示すフローチャートである。ここでは、利用者は入金処理を実行するものとする。ＡＴＭ１０００の利用者は、取引内容（入金）を表示装置１７０で指定し、キャッシュカードをカード取扱装置１４０の挿入口に挿入する。ＡＴＭ１０００は、カード取扱装置１４０でカードの口座番号を読み取る（ステップＳ１００）。口座番号が読み取り不可であった場合は（ステップＳ２００：ＮＯ）、カードに異常があるものとして、取引を終了する。口座番号を読み取った場合（ステップＳ２００：ＹＥＳ）、表示装置１７０で入金を促す（ステップＳ３００）。利用者は、金銭を金銭取扱装置１６０の入出金口に挿入する。金銭取扱装置１６０は、入金された金銭を搬送し、金銭真偽判別装置１８０は、搬送されている金銭の真偽判別を行なう（ステップＳ４００）。入金された金銭全てが偽金ではない場合は（ステップＳ５００：ＮＯ）、ＡＴＭ１０００は、ホストコンピュータ２０００に、読み取った口座番号に関する口座残高を、入金金額分増加させるよう要求する（ステップＳ６００）。ホストコンピュータ２０００は、口座番号と口座残高を関連付けて記憶しており、要求を受けたホストコンピュータ２０００は、要求された口座番号の口座残高を更新する。ＡＴＭ１０００の明細票印字装置１５０は、取引内容を示す明細票を印字し（ステップＳ７００）、カード取扱装置１４０はキャッシュカードを返却する（ステップＳ８００）。一方、偽金を検出した場合は（ステップＳ５００：ＹＥＳ）、この入金取引を停止し、主記憶装置１２０に記憶している処理指示に基づいて、偽金対策処理を実行する（ステップＳ９００）。
【００２１】
図５は偽金対策処理を示すフローチャートである。アラーム装置２００は、処理指示において、アラームを鳴動することが選択されている場合（ステップＳ９０１：ＹＥＳ）、にアラームを鳴動する（ステップＳ９０２）。通信装置１１０は、監視装置３０００に通報が選択されている場合（ステップＳ９０３）、監視装置３０００に偽金が検出されたことを通報する（ステップＳ９０４）。通報を受けた監視装置３０００は、上述したように、ランプを点灯させて係員に偽金検出を知らせる。
【００２２】
また、偽金を返却すると指定されている場合（ステップＳ９０５：返却）、金銭取扱装置１６０は、偽金を利用者に返却する（ステップＳ９０６）。偽金を保留すると指定されている場合（ステップＳ９０５：保留）、金銭取扱装置１６０は偽金を金銭取扱装置１６０内に保留し（ステップＳ９０７）、ＣＰＵ１００はＡＴＭ１０００の取引機能を停止させる。このとき表示装置１７０は、例えば「申し訳ありません。ただいま使用不可能です。他のＡＴＭをご利用下さい。」というメッセージを表示し、次のカードの処理のステップに進む。偽金を回収すると指定されている場合（ステップＳ９０５：回収）、金銭取扱装置１６０は偽金を所定の保管庫に回収して次のステップに進む（ステップＳ９０８）。
【００２３】
一方、キャッシュカードを返却すると指定されている場合（ステップＳ９０９：返却）、カード取扱装置１４０は、カードを利用者に返却する（ステップＳ９１０）。カードを保留すると指定されている場合（ステップＳ９０９：保留）、カード取扱装置１４０は、カードをＡＴＭ１０００内に保留し（ステップＳ９１１）、ＣＰＵ１００はＡＴＭ１０００の取引機能を停止させる。このとき表示装置１７０は、偽金保留時と同様のメッセージを表示し、次のステップに進む。カードを回収すると指定されている場合（ステップＳ９０９：回収）、カード取扱装置１４０はカードを回収して次のステップに進む（ステップＳ９１２）。なお、ステップＳ９１０のカードの返却は、ステップＳ８００のように通常の取引の際も実行される処理であり、厳密には偽金対策として実行しているものではない。
【００２４】
そして、ＪＮＬを印字すると指定されている場合は（ステップＳ９１３：ＹＥＳ）、ＪＮＬ印字装置１９０は、所定期間中にＡＴＭ１０００で実行された取引の履歴を印字する（ステップＳ９１４）。ＣＰＵ１００と、通信装置１１０と、カード取扱装置１４０と、金銭取扱装置１６０と、ＪＮＬ印字装置１９０と、アラーム装置２００は、本発明の偽金対策処理実行部に相当する。
【００２５】
第１実施例の偽金監視システム１００００によれば、ＡＴＭ１０００毎に、偽金が入金された際の処理指示を予め取得する処理指示取得部２１０を備え、処理指示に基づいた偽金対策処理を実行するので、ＡＴＭ１０００において、偽金が検出された際の処理を個別に設定可能である。つまり、ＡＴＭ１０００によって適した偽札対策処理を実行することができる。
【００２６】
具体的には、ＡＴＭ１０００が営業店内に設置されている場合は、アラームを鳴動すれば、係員がすぐに対応可能である。また、ＡＴＭ１０００が営業店内に設置されている場合は、偽金検出時にカードや偽金を保留する設定としておくことにより、係員が金銭を確認し、本物の金銭であるものと判断すれば、その場で利用者にカードと金銭を返却することができる。
【００２７】
一方、ＡＴＭ１０００が営業店外に設置されている場合は、アラームを鳴動しても意味が無い場合も多い。また、カードを回収するという偽札対策処理も、営業店外にＡＴＭ１０００が設置されている場合は不向きである。なぜなら、金銭真偽判別装置１８０が、誤って本物の金銭を偽金と判断する場合もあり、過失のない利用者に多大な迷惑を掛けることになりかねないからである。本実施例の偽金監視システム１００００によれば、このような事態を避け、ＡＴＭ１０００が営業店外に設置されている場合は、アラームを鳴動せず、偽金を返却するという設定にすることができる。
【００２８】
処理指示取得部２１０は、係員が所定の鍵穴に鍵を挿入する場合に限らず、ＡＴＭ１０００に所定の操作を行なった場合に、処理指示取得画面２１１を表示装置１７０に表示させるものとしても良い。所定の操作は、例えば、所定のボタンを押下した場合や、所定の番号を入力した場合などである。
【００２９】
Ｂ．第２実施例：
第１実施例の偽金監視システム１００００では、ＡＴＭ１０００毎に、処理指示取得画面２１１で処理指示を個別に設定したが、第２実施例の処理指示取得部２１０は、以下のように処理指示を取得する。第２実施例のホストコンピュータ２０００は、ＡＴＭ１０００の運転状況と、処理指示を関連付けた運転状況処理指示ファイル２１００を管理し、運転状況取得部２２００と、処理指示送信部２３００とを用いて各ＡＴＭ１００に処理指示を送信する（図１）。
【００３０】
図６は、運転状況処理指示ファイル２１００を示す説明図である。運転状況処理指示ファイル２１００において、ＡＴＭ１０００の運転状況は、自動取引装置の設置場所に関する情報または時刻に関する情報のうち、少なくとも１つを含む情報である。ＡＴＭの運転状況は、本実施例では、ＡＴＭ１０００が金融機関の営業店外に設置されているか、ＡＴＭ１０００が営業店内に設置されており、かつ偽金検出時刻が営業店の窓口の運営時間外であるか、またはＡＴＭ１０００が営業店内に設置されており、かつ偽金検出時刻が営業店の窓口の運営時間内であるか、の３通りに分けられている。そして、処理指示は、各々の運転状況に対して設定されている。運転状況処理指示ファイル２１００は、本発明の処理指示記憶部に相当する。
【００３１】
運転状況取得部２２００は、ＡＴＭ１０００に偽金が入金された際の時刻を取得する。偽金が入金された際の時刻とは、偽金が検出されたという通知を受けた際の時刻を示し、その時刻は、偽金が検出された時刻またはその数分間後を指す時刻であっても良い。運転状況取得部２２００は、更に、金融機関のＡＴＭ１０００の設置場所も管理している。運転状況取得部２２００は、取得した時刻と設置場所から、ＡＴＭ１０００の運転状況が先述した３通りのうちいずれに該当するかを決定する。処理指示送信部２３００は、運転状況処理指示ファイル２１００において運転状況取得部２２００が決定した運転状況に関連している処理指示を、ＡＴＭ１０００に送信する。
【００３２】
図７は、ＡＴＭ１０００で偽金が検出された際のＡＴＭ１０００とホストコンピュータ２０００の処理を示すフローチャートである。右側がホストコンピュータ２０００のフローチャートであり、左側がＡＴＭ１０００のフローチャートである。偽金が検出されるまでの処理（ステップＳ１００〜ステップＳ４００）と、偽金が検出されない場合の処理（ステップＳ６００〜ステップＳ８００）は、第１実施例と同様であるので説明と図示を省略する。偽金が検出された場合（ステップＳ５００Ａ：ＹＥＳ）、ＡＴＭ１０００は、ホストコンピュータ２０００に、偽金が検出されたことを通知する（ステップＳ１０００Ａ）。
【００３３】
ホストコンピュータ２０００の運転状況取得部２２００は、通知を受けると、ＡＴＭ１０００の設置場所と現在時刻を取得してＡＴＭ１０００の運転状況を判断する（ステップＳ１１００Ａ）。そして、処理指示送信部２３００は、図６の運転状況処理指示ファイル２１００において運転状況と関連付けられている処理指示を、ＡＴＭ１０００に送信する（ステップＳ１２００Ａ）。
【００３４】
処理指示取得部２１０は、ホストコンピュータ２０００から送信された処理指示を受信し（ステップＳ１３００Ａ）、ＡＴＭ１０００は、処理指示に従って、図５に示した偽金対策処理を実行する（ステップＳ１４００Ａ）。
【００３５】
第２実施例の偽金監視システム１００００によれば、係員が個別にＡＴＭ１０００に処理指示を設定する手間を省略しつつ、ＡＴＭ１０００の処理指示取得部２１０は、ＡＴＭ１０００の運転状況に応じた処理指示を取得することができる。
【００３６】
第２実施例では、運転状況処理指示ファイル２１００や運転状況取得部２２００は、ホストコンピュータ２０００に備えるものとしたが、ＡＴＭ１０００に備えるものとしても良い。その場合は、偽金が検出された場合（ステップＳ５００Ａ：ＹＥＳ）、ＡＴＭ１０００の運転状況取得部２２００が運転状況を判断し、運転状況処理指示ファイル２１００において運転状況と関連付けられている処理指示を、処理指示取得部２１０が取得する。
【００３７】
第２実施例では、運転状況処理指示ファイル２１００における運転状況は３通りであるが、運転状況は複数であれば良く、更に詳細に運転状況を場合分けするものとしても良い。また、運転状況処理指示ファイル２１００の処理指示も例示であり、種々の処理指示を設定可能であることは言うまでもない。
【００３８】
その他の実施例：
（１）上記実施例では、ＪＮＬ印字装置１９０は、所定期間中にＡＴＭ１０００で実行された取引の履歴を印字するが、所定期間は可変であっても良い。例えば、処理指示取得画面２１１において、期間を設定可能であるものとしても良い。
【００３９】
（２）上記実施例における偽金対策処理は例示であり、他の偽金対策処理を実行するものとしても良い。
【００４０】
（３）上記実施例では、自動取引装置としてＡＴＭ１０００を例示したが、自動取引装置はＡＴＭ１０００に限らず、自動券売機や自動販売機や両替機、現金自動支払機（ｃａｓｈ  ｄｉｓｐｅｎｓｅｒ）など、様々な自動取引装置において本発明を適用可能である。
【００４１】
以上、実施例に基づき本発明に係る自動取引装置、ホストコンピュータ、自動取引方法および自動取引装置の機能を実現させるためのプログラムを説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【図面の簡単な説明】
【００４２】
【図１】自動取引装置の実施例であるＡＴＭ１０００を含む偽金監視システム１００００を示す説明図。
【図２】処理指示取得部２１０が処理指示を取得するための処理指示取得画面２１１を示す説明図。
【図３】処理指示設定ファイルｐｓｆを示す説明図。
【図４】処理指示取得後のＡＴＭ１０００における取引処理を示すフローチャート。
【図５】偽金対策処理を示すフローチャート。
【図６】運転状況処理指示ファイル２１００を示す説明図。
【図７】ＡＴＭ１０００で偽金が検出された際のＡＴＭ１０００とホストコンピュータ２０００の処理を示すフローチャート。
【符号の説明】
【００４３】
１１０...通信装置
１２０...主記憶装置
１３０...外部記憶装置
１４０...カード取扱装置
１５０...明細票印字装置
１６０...金銭取扱装置
１７０...表示装置
１８０...金銭真偽判別装置
２００...アラーム装置
２１０...処理指示取得部
２１１...処理指示取得画面
２１２...選択ボタン
２０００...ホストコンピュータ
２１００...運転状況処理指示ファイル
３０００...監視装置
１００００...偽金監視システム
ｐｓｆ...処理指示設定ファイル
【図１】
2006343914.tif 000003
【図２】
2006343914.tif 000004
【図３】
2006343914.tif 000005
【図４】
2006343914.tif 000006
【図５】
2006343914.tif 000007
【図６】
2006343914.tif 000008
【図７】
2006343914.tif 000009